(57)【特許請求の範囲】
【請求項１】
第１の走査周波数で動作する映像信号を表わす第１の状態と、第２の走査周波数で動作する該映像信号を表わす第２の状態とを有するスイッチング信号を発生する手段と；該スイッチング信号に応答し該第１及び第２の走査周波数のそれぞれで鋸歯状信号を発生する手段と；該映像信号走査周波数と同期させられた放物線状信号の発生源と；該発生源と該鋸歯状信号発生手段とに結合されたＳ字補正信号を発生する手段と；該Ｓ字補正信号発生手段に接続され、該スイッチング信号発生器に応じて前記第１の走査周波数又は前記第２の走査周波数の一方のときに、該放物線状信号をフィルタリングし、該第１及び第２の走査周波数のそれぞれの走査動作中に実質的に同一形状の放物線状信号を発生する手段とからなる、走査波形発生器。
【請求項２】
電流を発生するコイルに接続された増幅器と；第１の走査周波数で動作する映像信号を表わす第１の状態と、第２の走査周波数で動作する該映像信号を表わす第２の状態とを有するスイッチング信号を発生する手段と；該第１及び第２の走査周波数で動作し得る放物線状信号の発生源と；該スイッチング信号発生器に制御可能に接続され、該スイッチング信号発生器に応じて前記第１の走査周波数又は前記第２の走査周波数の一方のときに、該放物線状信号をフィルタリングする手段とからなり、該第１及び第２の走査周波数のそれぞれの走査動作中に実質的に同一形状を有し電子ビーム誤差の補正のための該増幅器に結合された出力信号を有する、放物線状信号発生器。
【発明の詳細な説明】
【０００１】
【産業上の利用分野】
本発明は多数のＴＶ（テレビジョン）規格で動作し得る映像表示装置に係り、特に、垂直偏向波形の発生と、放物線状信号のフィルタリング及び制御とに関する。
【０００２】
【従来の技術】
ＮＴＳＣ方式、パル（ＰＡＬ）Ｍ方式及びパルＮ方式のＴＶ規格に適合するＴＶ装置には類似性があるので、従来のＮＴＳＣ方式受像機の設計に基いて多数の規格に適合するＴＶ表示装置を開発することが可能である。コスト性と生産性を考慮して、多数規格適合形ＴＶ表示装置は、基本的なＮＴＳＣ方式受像機の設計に対する変更を最小限に抑える設計が必要とされる。
【０００３】
従来のＮＴＳＣ方式受像機の設計は、必要とされるＴＶ受像機サブシステムの殆ど、例えば、中間周波（ＩＦ）増幅、ビデオ復調、輝度変調及び復号化、音声復調、同期分離、パルス及び波形生成等が提供されるディジタルバス制御方式集積回路に基づいている。従って、多数規格適合形の回路設計は、従来のシステムによって制御でき、かつ、従来の受像機の映像及び同期システムへの再入力に適合する出力信号を発生し得るよう接続されるべきである。
【０００４】
バス制御方式集積回路は、選択された映像源から得られた水平同期用パルスにロックされたカウントダウンパルス発生装置を含む場合がある。その上、パルス発生装置は、垂直基準時間の水平ラインカウント数に基づいて生成される可能性のある種々の調整信号波形を発生する。上記信号の一つは、左−右のピンクッション補正を行うために使用され、ディジタルバスを介して制御、設定される垂直レートパラボラ（放物線状）信号である。
【０００５】
ＮＴＳＣ方式、パルＭ方式及びパルＮ方式のＴＶ規格は、類似する水平同期用周波数と、類似のカラー副搬送周波数とを有する。その上、ＮＴＳＣ方式、パルＭ方式の双方は、公称的に５９．９４Ｈｚである同一のフィールド周波数を有し、１フレーム当たりの水平ライン本数は５２５本で同一であるので、公称的に１５．７３４ｋＨｚの同一の水平周波数が得られる。しかし、パルＮ方式のＴＶ規格は１フレーム当たり６２５本で構成され、フィールド周波数は５０Ｈｚである。上記の数値上の相違によって、カウンティング又はカウントダウン方法に基づく発生器において波形が変形される可能性がある。
【０００６】
【発明が解決しようとする課題】
従来のＮＴＳＣ方式受像機において、ピンクッション、又は、左−右の補正は、スクエアリング回路でフィールドレート鋸歯を処理することにより生成される垂直レートパラボラ（放物線状）信号によって得られる。上記放物線の振幅はフィードバックループにより制御され、特定のラインカウント数で生じる瞬間的なランプ増幅として現われる。上記ラインカウント数は放物線の中央部を公称的にフィールドレートのランプ又は鋸歯信号の中央部に位置決めするよう選択される。しかし、５０Ｈｚのフィールドレート、即ち、パルＮ方式ＴＶ規格で動作する場合に、基準のラインカウント数、又は、ライン番号が変えられて、パルＮ方式のフィールドにおいてより大きなライン番号を表わすことはない。これにより、パルＮ方式のフィールド期間に非対称的に現われる放物線状波形が発生する。放物線状信号は１６．６６ミリ秒のフィールド期間の範囲内で中央に置かれるよう発生させ、一方、５０Ｈｚのフィールド間隔を構成するよう２０ミリ秒間持続させるのが有効である。従って、放物線状信号のピークはパルＮ方式のフィールドで非常に早期に生じ、パラボラは発生させられ続け最初の尖点（ｃｕｓｐ）よりも大きい終端の尖点を生ずる。
【０００７】
【課題を解決するための手段】
第１又は第２の走査周波数で動作する走査波形発生器は、第１又は第２のフィールド周波数の間で選択し得る周波数を有する放物線状信号の発生源と、第１又は第２の走査周波数の一方で動作する映像信号を表わすスイッチング信号を発生する手段とからなる。鋸歯状波形を発生する手段は、第１又は第２の走査周波数の間で切替わるスイッチング信号に接続される。Ｓ補正信号を発生する手段は放射状信号発生源と鋸歯状波形発生手段に接続される。放物線状信号をフィルタリングする手段はスイッチング信号発生器に制御可能的に接続され、Ｓ補正信号発生手段にも接続される。フィルタリングされた放物線状信号は第１及び第２の走査周波数の何れか一方で走査する間に実質的に同じ形状を有する。
【０００８】
【実施例】
図１のブロック図は、ディジタルバス制御方式ＩＣ（集積回路）１００の動作を付加する主要なサブシステムを示す。集積回路１００は、変調ＩＦ信号、或いは、ベースバンド複合映像又は分離輝度及び変調クロミナンス信号、即ち、Ｙ／Ｃとして入力を受ける。上記集積回路は、水平及び垂直偏向ドライブ増幅器に接続された適当な偏向波形信号と共に、復号された赤、緑及び青の表示用信号を出力する。ＴＶのＦＭ（周波数変調）音声信号は検波され、スピーカーをドライブする電力増幅器に接続するためステレオ復調される。
【０００９】
マイクロコンピュータ集積回路ＩＣ２００は、双方向データバス２５０を介してＩＣ１００及びチューナ２２０と接続される。更に、遠隔制御装置２１０からの信号はマイクロコンピュータＩＣ２００に入力される。
多数のＴＶ規格に適合する動作を提供するため、集積回路１００により行われる種々の機能は、同期発生器４５０と垂直偏向波形発生器４１０とからなる本発明の回路４００によって代替され、変更又は置換される。
【００１０】
本発明のモジュール４００の回路は、セレクタ１０４により選択される映像源に接続される。映像信号は復調器１０１或いはベースバンド入力映像源の何れから得てもよい。映像信号は同期発生器４５０内で同期分離され、かかる同期発生器は入力ＴＶ規格に適当な水平ドライブ信号を更に発生する。同期発生器４５０は選択映像信号の垂直周波数を判定し、５０／６０Ｈｚの相違を有する種々の同期機能を制御する５０／６０Ｈｚのスイッチング信号を発生する。垂直同期はカウントダウン技術を使用して選択映像信号から得られる。スイッチングされた電流源は、キャパシタを充電することにより５０Ｈｚ及び６０Ｈｚのフィールドレートに対し一定振幅を有する垂直レート鋸歯信号を発生する。上記キャパシタは垂直リセット信号発生器４６０によりリセットされる。垂直鋸歯信号は、線形化と「Ｓ字」補正の提供のため処理される。同期発生器４５０は水平ドライブ信号ＨＤを発生し、垂直偏向波形発生器４１０は三つのＴＶ規格の何れの場合に対しても補正された垂直偏向鋸歯信号ＶＥＲＴを発生する。簡単に言うと、基本的な受像機は元の設計の通り機能するが、回路４００内において偏向信号が得られ発生させられる。
【００１１】
図１のモジュール４００の回路は、同期発生器４５０と垂直偏向波形発生器４１０との二つの部分に分けると便利である。垂直偏向波形発生器４１０の電気的系統を図２に示し、同期発生器４５０の部分を図３に示す。同期発生器は、例えば、同期分離と、３２倍の水平周波数フェーズロック発振器と、フィールド周波数判定用のカウントダウンと、垂直パルス分離と、垂直ランプリセットと、バッファと、第２の水平方向のフェーズロック発振器とを含む回路機能を提供するＴＥＡ  ２１３０の如くの集積回路に基づいている。
【００１２】
選択映像信号はセレクタ１０４からキャパシタＣ１０９を介して集積回路Ｕ２の１９番ピンに接続される。集積回路Ｕ２内において、同期信号は同期分離器４５４によって選択映像信号から分離され、垂直同期は垂直周波数検波器４５５に接続され、水平パルスは３２倍の水平周波数発振器４５１の周波数ロックの基準として位相検波器４５３に接続される。公称的に５００ｋＨｚの発振周波数は、１７番ピンと抵抗Ｒ１１０を介して接地との間に接続されたセラミック共振器Ｘ１によって定まる。発振信号は分周器４５２で分周され、位相検波器４５３で発振周波数を制御する分離水平パルスと比較される。発振制御ループはキャパシタＣ１０５及びＣ１０７によってフィルタリングされる。キャパシタＣ１０５は２番ピンを接地電位に減結合させ、キャパシタＣ１０７は３番ピンを分圧器を形成する抵抗Ｒ１０６及びＲ１０７により発生される正電位に減結合させる。
【００１３】
発振信号は、特定のカウント数、実際的には特定のライン番号の間にゲート信号を発生するため更にカウントダウンされる。ゲート信号は垂直周波数検波器４５５に印加され、以下の如く動作する。タイミングウィンドウはラインカウント数２４７乃至２７７の間に生成され、これにより、６０Ｈｚのレートを有し位相の範囲が制限された分離垂直パルスだけが動作可能状態に、又は、ゲートされる。その上、ラインカウント数２４７乃至２７７の間に生ずるパルスの繰り返しにより、６０Ｈｚフィールドレート信号であることが指示され、５０／６０モード制御論理部４５６の出力信号は公称６ボルトの値に設定される。同様に、ラインカウント数２７７乃至３６１の間に生ずる垂直パルスは５０Ｈｚのフィールドレートを有することが指示され、５０／６０モード制御論理部４５６の出力信号は公称１１ボルトに設定される。チューニング等の間に基準映像信号が存在しない場合に、垂直周波数ゲート論理部は５０／６０モード制御の出力信号を公称０ボルトに設定する。
【００１４】
主シャーシ部からの水平帰線パルスＲＴは、第２のフェーズロック水平発振器及びマルチバイブレータ４５９のための水平基準を与えるためコネクタＪ１を介して位相検波器４５８に接続される。帰線パルスは、直列接続された抵抗Ｒ２４及びキャパシタＣ１１７よりなる高周波ロールオフフィルタを介して接地に減結合される。上記第２の発振器の水平位相は、集積回路Ｕ２の電源と接地との間に接続されたポテンショメータＲ１１６によって調節される。ポテンショメータＲ１１６のワイパーは、直列抵抗Ｒ１１４と分路接続されたキャパシタＣ１１３とによりフィルタリングされ、集積回路Ｕ２の１４番ピンに接続される。第２の水平発振器は、多数規格適合形の水平ドライブ信号を１１番ピンに発生し、水平ドライブ信号はコネクタＪ１を介して水平偏向増幅器６００に接続される。水平ドライブのない場合に、水平偏向増幅器６００は水平ドライブ信号が正電位であることを仮定する必要がある。従って、多数規格適合形の水平ドライブ信号は、直列抵抗Ｒ１１３を介して抵抗Ｒ１１５とキャパシタＣ１１６の接続点に接続される。キャパシタＣ１１６はＨＦ（高周波）ロールオフを生ずるよう接地され、抵抗Ｒ１１５は、ドライブ信号がない場合にプルアップを行なうため１２ボルトの予備電源に接続される。
【００１５】
本発明の多数規格適合形垂直偏向波形発生器を図４に示し、図５及び６を参照して詳細に説明する。その前に、図２及び３に示された他の回路部について説明する。多数規格適合形の垂直ランプ波形は選択された定電流源で直列接続されたキャパシタ対を充電することにより発生される。かかるキャパシタは集積回路Ｕ２内の垂直リセットスイッチで放電される。電流源には、集積回路Ｕ２により発生される５０／６０モード制御信号で作動可能状態にされる二つの電流源ＣＳ５０及びＣＳ６０がある。モード制御信号は抵抗Ｒ２２を介してトランジスタＱ５のベースに接続される。トランジスタＱ５のエミッタは直列接続された分圧器によって約８．４ボルトにバイアスされ、かかる分圧器は１２ボルト動作（ＲＵＮ）電源と接地との間に接続された抵抗Ｒ２５とＲ２６により形成される。５０Ｈｚフィールドレート信号が検出される場合に５０／６０モード制御信号は、トランジスタＱ５をターンオフする約１１ボルトの電位を示す。トランジスタＱ５のコレクタは直列接続された抵抗分圧器の対に接続される。分圧器は接地され、抵抗Ｒ２９及びＲ３０と、抵抗Ｒ６１及びＲ６２とからなる。抵抗Ｒ２９とＲ３０の接続点はトランジスタＱ４のベースに接続されているので、トランジスタＱ５が導通しなくなるときにトランジスタＱ４をターンオフする。抵抗Ｒ６１とＲ６２の接続点は、５０Ｈｚモードではオフしている６０Ｈｚ電流スイッチトランジスタＱ６１のベースに接続される。
【００１６】
５０／６０モード制御信号は直列抵抗Ｒ３１を介してトランジスタＱ３のベースにも接続される。集積回路Ｕ２に接続された基準映像がない場合に、５０／６０モード制御信号はトランジスタＱ３をターンオフする零ボルト電位にある。トランジスタＱ３のコレクタは、トランジスタＱ２のベースと、１２ボルト動作電源に接続された負荷抵抗Ｒ３２とに接続される。従って、信号が存在しない場合に、トランジスタＱ３はターンオフされ、抵抗Ｒ３２を介して１２ボルト動作電源からの電流でトランジスタＱ２を飽和させる。かくして、信号が存在しない場合に、トランジスタＱ２のコレクタは、増幅器Ｕ１Ａの入力を接地電位にクランプし、「Ｓ字」補正生成回路からの放物線状入力信号を除去する。
【００１７】
５０Ｈｚの定電流源ＣＳ５０は、エミッタが直列抵抗Ｒ５１を介して７．６ボルト動作電源に接続されたＰＮＰ形トランジスタＱ５０のコレクタに発生される。電流源トランジスタのベースは、集積回路増幅器Ｕ１Ｄの出力によってドライブされ、電圧フィードバック経路内にトランジスタＱ５０のベースエミッタ電圧を含む電圧フォロワーとして構成される。増幅器Ｕ１Ｄの非反転入力は、５０Ｈｚのフィールドレートで垂直サイズを定めるポテンショメータＲ５４のワイパーに接続される。かかる５０Ｈｚのサイズ制御部は、固定抵抗Ｒ５３と並列に接続され、一端は直列抵抗Ｒ５２を介して＋７．６ボルトの動作電源に接続され、他端は飽和状態のスイッチトランジスタＱ５１のコレクタに接続される。スイッチトランジスタＱ５１のエミッタは接地され、ベースは直列接続された抵抗Ｒ２３を介してスイッチトランジスタＱ４のコレクタに接続される。従って、前述の如く５０Ｈｚフィールドモードにおいて、トランジスタＱ４はターンオフされ、抵抗Ｒ２３は抵抗Ｒ２７を介して＋１２ボルト動作電源に効率的に接続される。かくして、電流はトランジスタＱ５１を飽和させ、５０Ｈｚサイズ回路網が接地させられる。Ｒ５４のワイパーの電位は、コレクタ電流、即ち、ランプ形成電流Ｉｒを定めるトランジスタＱ５０のＶｂｅ電位を設定するため電圧フォロワーＵ１Ｄを介して結合される。５０Ｈｚサイズ制御部Ｒ５４は、電流源Ｃｓ６０により６０Ｈｚのフィールドレートで発生されるランプと同一の振幅を有する５０Ｈｚのランプを形成するよう調節される。６０Ｈｚで動作する際に、トランジスタＱ５１はターンオフされ、ワイパーポテンショメータＲ５４は約＋７．６ボルトの動作電源の電位にある。従って、約７．６ボルトがトランジスタＱ５０のベースに印加され、トランジスタをターンオフし、５０Ｈｚの充電電流の流れを妨げる。
【００１８】
６０Ｈｚ電流源ＣＳ６０は、電圧フォロワーＵ１Ｃの非反転入力が固定抵抗Ｒ６４及びＲ６３により形成される分圧器に接続される点を除いて、５０Ｈｚ電流源と同様に構成される。抵抗Ｒ６４は＋７．６ボルト動作電源に接続され、抵抗Ｒ６３は飽和状態のスイッチングトランジスタＱ６１のコレクタに接続される。スイッチングトランジスタＱ６１のベースは、トランジスタＱ５の直列接続された負荷抵抗Ｒ６１とＲ６２の接続点に接続される。従って、６０Ｈｚモードにおいて、５０／６０モード制御信号は公称電圧７ボルトにあり、トランジスタＱ５をターンオンし、直列接続された抵抗Ｒ６１とＲ６２の接続点を正電位にする。かくして、トランジスタＱ６１は飽和状態になり、電流源トランジスタＱ６０に電流の流れを起こす抵抗Ｒ６３を接地する。
【００１９】
図４は図１及び２に示した垂直偏向波形発生器４１０の部分的な電気系統図であり、本発明の配置を利用する多数規格適合形垂直偏向波形発生器を示す。図４に示された回路部は、垂直偏向増幅器７００に結合する垂直レート鋸歯信号又はランプ状信号を発生する。かかるランプは、線形補正を行なうための直列接続されたランプ形成キャパシタの接続点にも帰還される。垂直ランプは表示された画像の「Ｓ字状」歪みを補正するため更に変形される。「Ｓ字」補正信号は、回路１１５内で発生された左−右の垂直レートパラボラ信号の積分によって生成され、集積回路１００の回路発生器１２０から出力される。補正された垂直ランプは、サイズ制御部を介して結合され、電圧フォロワー増幅器の入力にＡＣ結合される。更に、かかる入力はランプ信号のＤＣ電位を設定するポテンショメータに接続され、かくして、残りの偏向回路部は直接に接続されているのでＣＲＴ上でラスタの垂直センタリング位置が定まる。
【００２０】
受像機の主シャーシ部の集積回路１００のセレクタ１０４で選択された映像信号はコネクタＪ１を介して集積回路Ｕ２、例えば、同期パルス分離器４５４と、３２倍の水平レート、即ち、約５００ｋＨｚで動作するフェーズロックセラミック発振器４５１とからなるＴＥＡ  ２１３０の１９番ピンに接続される。発振信号は、位相検波器４５３における水平レート位相比較用の水平レートパルスを生成するためカウントダウンされ、回路部４５５による垂直周波数判定用のタイミングウィンドウを生成するため更にカウントされる。垂直周波数判定回路４５５は、選択映像信号の垂直周波数を表わす制御信号を生成する５０／６０モード制御論理部４５６に接続される。
【００２１】
垂直レートランプは、例えば、直列接続されたキャパシタＣ４及びＣ５を正に充電する電流源ＣＳ６０により生成される。ランプ信号は、バッファ増幅器及び分路接続されたスイッチ４６０とからなる集積回路Ｕ２の入力ピン１６番に接続される。スイッチ４６０は、選択映像信号から得られる垂直パルスに応じてランプ形成キャパシタを接地電位に放電させる。バッファされたランプ信号はＵ２の１５番ピンから出力され、振幅判定回路網に接続される。出力ランプは、高周波減結合を生ずるキャパシタＣ１１１によって接地に減結合される。出力ランプは、更に、ＲＦＩ（無線周波妨害）及び不安定性の問題を防止するためキャパシタＣ１１２を介して入力に接続される。振幅判定回路網は、直列抵抗Ｒ８、Ｒ９及びＲ１０と、抵抗Ｒ９の両端に接続されて垂直偏向サイズを定めるポテンショメータＲ１１とから形成される。
【００２２】
ポテンショメータＲ１１のワイパーはキャパシタＣ６を介して電圧フォロワー増幅器Ｕ１Ｂの非反転入力にＡＣ結合される。キャパシタＣ６の選定値は、修正時間と、歪みのないランプ結合との妥協点を示す。例えば、キャパシタＣ６の値が大きい場合に、チャンネルの変更、特に、異なるフィールドレートを有するチャンネル間での選択に従って、ラスタは徐々に同一の垂直サイズと位置を示す可能性がある。従って、ユーザの観点からは、キャパシタＣ６に対し小さい値のキャパシタが選択されるので、チャンネル変更に伴う修正時間は短く１秒未満である。しかし、小さい値の結合キャパシタにより得られる結合時定数は、歪みのないランプ結合には短すぎる。従って、垂直ランプは部分的に微分され、垂直方向のラスタの非線形性が生じる。
【００２３】
電圧フォロワー増幅器Ｕ１Ｂの非反転入力は、抵抗Ｒ１２を介して、ラスタの垂直センタリング位置を定めるポテンショメータＲ１３のワイパーにも接続される。電圧フォロワーＵ２の出力は、コネクタＪ１を介して主シャーシ部の垂直偏向増幅器７００に直接的に接続される。偏向ランプは、例えば、集積回路ＴＤＡ８１７２の如くの増幅器Ｕ３の反転入力に接続された直列抵抗Ｒ１４を介して結合される。増幅器Ｕ３の非反転入力は抵抗Ｒ１５及びＲ１６により形成される分圧器によって発生される正の電位に接続される。増幅器Ｕ３の出力は、電流検出抵抗Ｒ１８を介して零信号電位に接続された垂直偏向コイルＬｙにＤＣ結合される。抵抗Ｒ１８の両端に生じる電圧は垂直偏向ドライブ増幅器Ｕ３の反転入力に負帰還を得るため帰還結合される。
【００２４】
集積回路Ｕ２でバッファされたランプ信号出力は、抵抗Ｒ７を介して直列接続されたランプキャパシタＣ４、Ｃ５の接続点に帰還信号として接続されるのが利点である。抵抗Ｒ７と、キャパシタＣ４及びＣ５の時定数により、放物線状の成分を生ずるランプ信号の積分が得られる。放物線状成分は、結合キャパシタＣ６に起因する非線形性の事前の補正のためランプ信号に同相で加算される。図６に示す波形（Ａ）は、結合キャパシタＣ６の直前にある垂直サイズ制御部Ｒ１１のワイパー、即ち、点Ａで検出された事前に補正、或いは、事前に線形化されたランプを示す。キャパシタＣ６による事前に補正された垂直ランプの結合の結果は回路の点Ｂで検出され、図６の波形（Ｂ１）に直線性のランプで示されている。波形（Ｂ１）における線形化された垂直ランプはＲ６を切路することにより得られる「Ｓ字」補正のない場合を示している。図６において、波形（Ａ）及び（Ｂ）は、線形ランプ信号を実現するため必要とされる線形性補正の大きさを示す寸法Ｌで離れている。「Ｓ字」補正信号は復元され、非線形補正がなされ、かつ、「Ｓ字」補正が追加された垂直偏向波形は、図６の波形（Ｂ２）に示す如く点Ｂで検出される。
【００２５】
集積回路１００の発生器１１５で生成されパラボラ増幅器１２０で処理された左−右の垂直周波数パラボラ信号は、抵抗Ｒ６を介してランプ形成キャパシタＣ４及びＣ５の接続点に結合されることが利点である。抵抗Ｒ６とキャパシタＣ５は、垂直ランプ信号に加算される「Ｓ字」補正信号を生成するため左−右のパラボラ信号を積分する積分器を形成する。
【００２６】
集積回路Ｕ２は、発振器４５１からの発振周波数信号を分周器４５２でカウントダウンして形成されたウィンドウ信号と共に垂直同期パルスの発生をゲートする選択映像信号の垂直周波数を検出する。例えば、ラインカウント数２４７乃至２７７の間隔に生じる垂直パルスは６０Ｈｚのフィールドレート信号であるよう指示され、５０／６０モード制御論理部４５６の出力制御信号は公称値６ボルトに設定される。同様にラインカウント数２７７乃至３６１の間に生じる垂直パルスは５０Ｈｚのフィールドレート信号であるよう指示され、５０／６０モード制御論理部４５６は出力信号を公称１１ボルトに設定する。チューニング等の間に選択映像信号がない場合に、垂直周波数検波器４５５は５０／６０モード制御論理部の出力信号を公称零ボルトに設定する。５０／６０モード制御信号の値に応答するスイッチング回路は、簡単化した図４には示してないが、点線で例示してている。
【００２７】
モード制御論理信号は６０Ｈｚの動作に対し定電流源ＣＳ６０を選択し、５０Ｈｚのフィールドレートに対しＣＳ５０を選択する。選択された電流源は充電電流Ｉｒを発生し、かかる充電電流は直列接続されたキャパシタＣ４及びＣ５に結合される。同一のラスタ高さを実現するために、定電流源ＣＳ５０は５０Ｈｚのランプの振幅を６０Ｈｚのランプの振幅に一致させるよう調節し得る。選択映像信号がない場合には、垂直偏向信号は過度な不安定さを伴うことなく発生し続けることが重要である。従って、選択映像信号が失われている間に、５０／６０モード制御信号は接地電位を示し、これにより、パラボラ信号を接地電位にクランプし得る。かくして、所要されないスプリアス偏向波形が成形される可能性は回避される。モード制御信号は、以下に詳細に説明する本発明の選択性のフィルタ及び振幅制御にも結合される。
【００２８】
パラボラ信号は発生器１１４により生成された垂直レート鋸歯信号を処理するスクエアリング関数増幅器１１５によって形成される。パラボラ信号の振幅と、パラボラ信号が加えられるＤＣ成分の値は、図１の回路１２０によってディジタル的に制御される。しかし、ピークのパラボラ信号の振幅は、フィールドの特定ラインで生じる瞬時的な鋸歯状電圧に関連するスクエアリング回路１１５内のループにより制御される。６０Ｈｚのフィールドレートの場合に、ライン数はパラボラ信号のピークをフィールドの中央部に置くように選択される。放物線状のピークを中央部に置くことは、５０Ｈｚの走査レートで動作する場合にも同様に必要である。しかし、５０Ｈｚのフィールド周期は２０ミリ秒の間隔であり、フィールドラインカウント数は約３１２であるので、中央のフィールドライン番号は６０Ｈｚのシステムにおける番号とは異なる。従って、中央のライン番号を変えない場合に、放物線状波形のピークはかなり早く生じ、５０Ｈｚのフィールド間隔に中央に置かれることはない。その上、放物線状波形は、２０ミリ秒の５０Ｈｚフィールド周期の残りの約３．３ミリ秒の間スクエアリング回路１１５によって生成され続ける。かくして、異なる尖点、従って、６０Ｈｚ信号の場合よりも大きいピーク対ピークの振幅を有する非対称性の放物線状波形が得られる。かかる非対称性の放物線状波形は図５に波形Ｐ５０で示されている。
【００２９】
図４及び５に示す非対称性の放物線状信号Ｐ５０は、パラボラ信号増幅器１２０からコネクタＪ１を介して垂直偏向波形発生器４１０の直列接続された抵抗Ｒ１に結合される。抵抗Ｒ１及びＣ１は、スイッチトランジスタＱ１によって選択的に作動される本発明のローパスフィルタを形成する。スイッチトランジスタＱ１は（図２に示す回路網によって）バイアスされ、５０／６０モード制御信号が公称ＤＣ電圧１１ボルトで５０Ｈｚの動作をする場合にターンオンされる。従って、飽和状態にあるトランジスタＱ１は、約８０Ｈｚの折点周波数と、折点周波数を上回る所で１オクターブ当たり６ｄＢの周知の振幅応答曲線とを有するローパスフィルタを形成するようフィルタキャパシタＣ１を接地させる。かくして、かかるフィルタは、パラボラの２次以上の高調波を減衰させ、波形Ｐ５０から非対称性を殆ど取り除くので、図４及び５に波形Ｐｆで示す略対称性のある放物線状波形が得られる。
【００３０】
図５に示す如く非対称性の放物線状波形Ｐ５０は、６０Ｈｚの放物線状信号の場合よりピーク対ピークの振幅が大きいので、５０Ｈｚの動作中に信号Ｐ５０の全体的な振幅を減少させることが必要である。抵抗Ｒ２とキャパシタＣ２とにより形成される直列接続された回路網は、キャパシタＣ１の両端に接続され、５０Ｈｚの動作中に選択的に接地電位に切り換えられる。抵抗Ｒ２とキャパシタＣ２の直列結合は入力抵抗Ｒ１と共に減衰器を形成する。キャパシタＣ２の値は、減衰が抵抗Ｒ１とＲ２の分圧動作により生じ、信号Ｐ５０の周波数スペクトルの全域で実質的に一定となるような値である。従って、５０Ｈｚモードにおいて、減衰器が選定され、５０Ｈｚのパラボラは振幅が約１３％減少させられる。６０Ｈｚモードで動作する場合に、トランジスタＱ１はオフされ、ローパスフィルタと減衰器の回路網は動作しない。従って、集積回路１００からの６０Ｈｚの放物線状信号は、減衰或いはフィルタリングされることなく増幅器Ｕ１Ａの非反転入力に結合される。
【００３１】
上記の如く、放物線状信号はＡＣ成分とＤＣ成分とからなり、両成分は別個に制御され基本的受像機の設計の変更に使用することも可能である。しかしながら、本発明の多数規格適合形受像機においてＤＣ成分は不必要であり、ダイオードＤ１の両端に発生され反転入力に印可された固定ＤＣバイアスを増幅器Ｕ１Ａにおいて減算することによって取り除かれることを利点とする。
【００３２】
増幅器Ｕ１Ａの反転入力は、負帰還を得るため抵抗Ｒ３を介して増幅器出力に結合される。反転入力は、抵抗Ｒ５とダイオードＤ１と減結合キャパシタＣ３とによって形成されるＤＣバイアス回路網に抵抗Ｒ４を介して結合される。抵抗Ｒ５は７．６ボルト動作電源に接続され、カソードが接地されたダイオードＤ１のアノードに順方向バイアス電流を供給する。抵抗Ｒ５とダイオードＤ１のアノードとの接続点は、接地電位に減結合するキャパシタＣ３と抵抗Ｒ４とに接続される。従って、抵抗Ｒ４は約＋０．７ボルトのＤＣバイアスを増幅器Ｕ１Ａの反転入力に結合する。キャパシタＣ３のインピーダンスは放物線状信号の周波数スペクトルの全域において無視できるので、増幅器Ｕ１Ａの利得は周知の式（１＋  Ｒ３／Ｒ４）によって定まり、利得３が得られる。
【００３３】
増幅器Ｕ１Ａの出力信号は抵抗Ｒ６を介してランプ形成キャパシタＣ５に結合される。抵抗Ｒ６とキャパシタＣ５の時定数は、処理された左−右放物線状信号の積分を与える。抵抗Ｒ６の値はＣＲＴの表示面の幾何形状に対する垂直「Ｓ字」補正が得られるよう選択される。
【００３４】
【発明の効果】
本発明の選択的に切り換えられるフィルタは、５０Ｈｚ及び６０Ｈｚの両方の動作モードにおいて実質的に同一の波形対称性を有する放物線状信号を発生する。放物線状信号の振幅の選択的な制御は、５０Ｈｚ及び６０Ｈｚの両方の動作モードにおいて実質的に同一の振幅を有する放物線状信号を発生することが利点である。本発明により制御される放物線状信号は電子ビーム誤差を補正するためコイルに結合されることが利点である。補正される電子ビーム誤差は、例えば、上述の如くの幾何学的なＳ字状の誤差であり、或いは、放射線状信号に応じたコイルの使用に関連する他の誤差の補正でもよい。
【図面の簡単な説明】
【図１】本発明の多規格適合形の一実施例を組み込むＴＶ受像機の略ブロック図である。
【図２】図１の本発明の回路４００を含む回路を示す電気的系統図である。
【図３】回路４００の同期回路を示す電気的系統図である。
【図４】本発明の一実施例を示す図２の略電気系統図である。
【図５】非対称性のフィルタリングされた放物線状波形信号を示す図である。
【図６】種々の垂直偏向波形を示す図である。
【符号の説明】
１００    集積回路
１０１    復調器
１０４    セレクタ
１１４    垂直レート鋸歯信号発生器
１１５    スクエアリング関数増幅器
１２０    パラボラ増幅器
２００    マイクロコンピュータ集積回路
２１０    遠隔制御装置
２２０    チューナ
２５０    双方向データバス
４００    回路
４１０    垂直偏向波形発生器
４５０    同期発生器
４５１    水平周波数発振器
４５２    分周器
４５３，４５８    位相検波器
４５４    同期分離器
４５５    垂直周波数検波器
４５６    ５０／６０モード制御論理部
４５９    マルチバイブレータ
４６０    垂直リセット信号発生器（スイッチ）
６００    水平偏向増幅器
７００    垂直偏向増幅器
ＣＳ５０，ＣＳ６０    定電流源
Ｃ１，Ｃ４，Ｃ５    キャパシタ
ＬＹ    コイル
Ｑ１    トランジスタ
Ｒ１，Ｒ６    抵抗
Ｕ１，Ｕ２，Ｕ３    増幅器
【図１】
0003760419.tif 000002
【図２】
0003760419.tif 000003
【図３】
0003760419.tif 000004
【図４】
0003760419.tif 000005
【図５】
0003760419.tif 000006
【図６】
0003760419.tif 000007